(57)【特許請求の範囲】
【請求項１】
排水管部が連成された受皿部の外周縁に、内外方向に所定幅で延在する被圧受面が周設されたドレイン本体と、該ドレイン本体の被圧受面に宛がわれる防水層押えとを備え、該防水層押えと前記被圧受面とにより床面及び壁面下部を覆う防水シートの開口端縁を挟持するように設けられたルーフドレインにおいて、
前記被圧受面の内端近傍位置に、防水シート切断用刃物の先端が係合可能な深さを備えた防水シート切断用位置決め溝が被圧受面の内端縁に沿って形成されていることを特徴とするルーフドレイン。
【請求項２】
防水シートに当接する防水層押えの裏面の外端稜部に、防水シートへの押圧力を軽減する面取り部が設けられていることを特徴とする請求項１記載のルーフドレイン。
【発明の詳細な説明】
【技術分野】
【０００１】
本発明は、防水シートによって防水層を形成する施工に適したルーフドレインに関する。
【背景技術】
【０００２】
建築物の屋上やベランダにおける防水工法の一つとして、合成ゴムや可撓性合成樹脂からなる厚さ３ｍｍ程度の防水シートによって防水層を形成するシート防水工法があり、かかるシート防水工法に用いられるルーフドレインが知られている（例えば、特許文献１参照）。
【０００３】
このシート防水工法用のルーフドレインａは、図１０に示すように、排水管部ｄが連成された受皿部ｃの外周縁に、内外方向に所定幅で延在する被圧受面ｅが周設されたドレイン本体ｂと、該ドレイン本体ｂの被圧受面ｅに宛がわれる防水層押えｇとを備えており、床面ｆから壁面ｈの下部に亘って敷設される防水シートｊの開口端縁ｋを前記防水層押えｇと被圧受面ｅとによって挟持し得るように構成されている。
【特許文献１】特許第３４５０９３２号公報（図１０）
【発明の開示】
【発明が解決しようとする課題】
【０００４】
ところで、シート防水工法にあっては、防水シートｊの裏面を床面ｆ及び壁面ｈに接着剤や粘着剤を介して被着させて敷設するのであるが、この際、図１１に示すように、床面ｆ上に予め埋設されているドレイン本体ｂ上にも防水シートｊが敷設される。そして、該防水シートｊをドレイン本体ｂの被圧受面ｅの内端縁に沿って所定形状に切り抜くことにより、排水管部ｄへの通水ができるようにしている。而して、このように防水シートｊを切り抜く際に、ドレイン本体ｂが防水シートｊによって被覆された状態にあり、防水シートｊの表面側からドレイン本体ｂが目視できないため、その切り抜きに際しては、防水シートｊを指で押圧して窪む位置、即ち裏面側が空洞となっている排水管部ｄに対応する位置を見つけて同部に小さな孔を開けた後、次第にその孔を広げるように防水シートｊを切除して被圧受面ｅの内端縁に沿う所定形状の開口部ｍ（図１０参照）を形成するようにしている。このため、該開口部ｍの形成に手間と時間が掛かり、作業能率が悪いという問題点があった。
【０００５】
また、上記のように、防水シートｊに開口部ｍを形成した後、図１０に示すように、上方から防水層押えｇを宛がって、該防水層押えｇをドレイン本体ｂに螺合されるボルトｎの緊締を介して被圧受面ｅ側に押圧することにより、該防水層押えｇと被圧受面ｅとによって開口部ｍの開口端縁ｋを挟持して、防水シートｊの裏面側への雨水の浸入を遮断するようにしているのであるが、防水層押えｇの裏面の外端稜部ｐが、図１２に示すように、断面略直角に形成されているため、この外端稜部ｐに押圧される防水シートｊに局所的な剪断力が生じた状態となり、施工後にこの状態が長期に亘って継続するため、前記外端稜部ｐによる防水シートｊの押圧部分を損傷させる虞があった。
【０００６】
本発明は、かかる従来の問題点を解消し得るルーフドレインを提供することを目的とするものである。
【課題を解決するための手段】
【０００７】
本発明は、排水管部が連成された受皿部の外周縁に、内外方向に所定幅で延在する被圧受面が周設されたドレイン本体と、該ドレイン本体の被圧受面に宛がわれる防水層押えとを備え、該防水層押えと前記被圧受面とにより床面及び壁面下部を覆う防水シートの開口端縁を挟持するように設けられたルーフドレインにおいて、前記被圧受面の内端近傍位置に、防水シート切断用刃物の先端が係合可能な深さを備えた防水シート切断用位置決め溝が被圧受面の内端縁に沿って形成されていることを特徴とするルーフドレインである。
【０００８】
ここで、本発明の構成は、横引き排水用または縦引き排水用の何れのルーフドレインにも適用され得る。
【０００９】
また、前記ルーフドレインにあって、防水シートに当接する防水層押えの裏面の外端稜部に、防水シートへの押圧力を軽減する面取り部を設ける構成が提案される。
【００１０】
ここで、該面取り部は、緩勾配で傾斜する傾斜面やＲ形状に形成され得る。
【発明の効果】
【００１１】
本発明は、上述したように、被圧受面の内端近傍位置に、防水シート切断用位置決め溝が被圧受面の内端縁に沿って形成されているので、防水層の施工に際して、床面及び壁面下部に敷設した防水シートによってドレイン本体が被覆された状態において、防水シートを表面側から指で押圧して溝形状で連続的に窪む位置にある防水シート切断用位置決め溝を見つけた後、カッターナイフ等の鋭利な刃物の先端を防水シートの表面から防水シート切断用位置決め溝内に差し入れて、そのまま防水シート切断用位置決め溝に沿って移動させることにより、該防水シート切断用位置決め溝の溝壁面によって案内作用が得られ、刃物が防水シート切断用位置決め溝から外れることなく、該位置決め溝内を円滑に移動して、防水シートを切り抜くことができる。これにより、被圧受面の内端縁に沿う所定形状の開口部を簡単かつ迅速に形成することができ、従来に比してその作業能率を格段に向上させることができる。
【００１２】
また、防水シートに当接する防水層押えの裏面の外端稜部に、防水シートへの押圧力を軽減する面取り部が設けられている構成にあっては、防水層押えと被圧受面とによって防水シートの開口端縁を挟持した状態において、面取り部によって防水シートへの押圧力が軽減されることにより、防水シートに局所的な剪断力が生じることがない。これにより、防水層押えの裏面の外端稜部位置における防水シートの損傷を防止することができ、長期に亘って防水シートによる良好な防水性を保持させることができる。
【発明を実施するための最良の形態】
【００１３】
以下に、本発明にかかるルーフドレインの第一実施例を、図１〜図６に基づいて説明する。この第一実施例は、本発明を横引き排水用のルーフドレイン１Ａに適用したものである。
【００１４】
ルーフドレイン１Ａのドレイン本体２は、図１に示すように、断面Ｌ形に形成された受皿部３の背面に排水管部４が連成されており、該受皿部３の外周縁には内外方向に所定幅で延在する平滑な被圧受面５が周設されている。このドレイン本体２は、防水シート９の施工前に床面ｆと壁面ｈとが交叉する入隅部に埋設される。前記被圧受面５上には、断面Ｌ形の枠体からなる防水層押え６が後述する防水シート９を介して宛われ、該防水層押え６をドレイン本体２に螺入された螺子杆７に螺合されるナット８の緊締を介して被圧受面５側に押圧することにより、該防水層押え６と被圧受面５とによって防水シート９の開口端縁１０を挟持するように設けられている。また、前記防水層押え６には、受皿部３を覆うストレーナ１１がビス１２によって固定されている。このルーフドレイン１Ａを構成するドレイン本体２，防水層押え６，ストレーナ１１は、鋳鉄，アルミニウム合金，ステンレス，ステンレス鋳鋼等の金属製や、塩化ビニル，ＦＲＰ等の硬質合成樹脂製となっている。
【００１５】
前記被圧受面５の受皿部３側の内端近傍位置には、図２，図３に示すように、受皿部３を囲繞するようにして、防水シート切断用位置決め溝１３が被圧受面５の内端縁に沿って形成されている。該防水シート切断用位置決め溝１３は、刃物１５（図５（Ｂ）参照）の先端が係合可能な所定の深さを備えており、その断面形状は倒台形，矩形，半円形，Ｖ字形等に形成され得る。
【００１６】
また、前記防水層押え６の裏面の外端稜部は、図４（Ａ），（Ｂ）に示すように、Ｒ形状または緩勾配で傾斜する傾斜面からなる面取り部１４が設けられており、この面取り部１４によって防水シート９への押圧力を軽減し得るようになっている。
【００１７】
かかる構成にあって、厚さ３ｍｍ程度の合成ゴムや可撓性合成樹脂からなる防水シート９を、接着剤や粘着剤を介して床面ｆ及び壁面ｈに被着すると、図５（Ａ）に示すように、床面ｆと壁面ｈとが交叉する入隅部に予め埋設されているドレイン本体２が、該防水シート９によって被覆された状態となる。そして、この状態において、防水シート９を表面側から指で押圧して溝形状で連続的に窪む位置にある防水シート切断用位置決め溝１３を見つけた後、図５（Ｂ）に示すように、カッターナイフ等の鋭利な刃物１５の先端を防水シート９の表面から防水シート切断用位置決め溝１３内に差し入れて、そのまま防水シート切断用位置決め溝１３に沿って移動させることにより、該防水シート切断用位置決め溝１３の溝壁面によって案内作用が得られ、刃物１５が防水シート切断用位置決め溝１３から外れることなく、該位置決め溝１３内を円滑に移動して、防水シート９を切り抜くことができる。これにより、図６に示すように、被圧受面５の内端縁に沿う所定形状の開口部１６を簡単かつ迅速に形成することができ、従来に比して切断部の位置決めと切除を容易に行うことができるため、その作業能率を格段に向上させることができる。
【００１８】
また、上記のように防水シート９を切り抜いた後、該防水シート９の開口端縁１０が、被圧受面５と、その上方から宛われる防水層押え６とによって挟持されることとなるのであるが（図１参照）、防水シート９に当接する防水層押え６の裏面の外端稜部に面取り部１４（図４（Ａ），（Ｂ）参照）が設けられていることにより、該面取り部１４によって防水シート９への押圧力が軽減され、防水シート９に局所的な剪断力が生じることがない。これにより、防水層押え６の裏面の外端稜部位置における防水シート９の損傷を防止することができ、長期に亘って防水シート９による良好な防水性を保持させることができる。
【００１９】
図７〜図９は、本発明にかかるルーフドレインの第二実施例を示し、この第二実施例は、本発明を縦引き排水用のルーフドレイン１Ｂに適用したものである。
【００２０】
ルーフドレイン１Ｂのドレイン本体２は、図７，図８に示すように、円形皿状に形成された受皿部３の下方に排水管部４が連成されており、該受皿部３の外周縁には内外方向に所定幅で延在する平滑な被圧受面５が周設されている。このドレイン本体２は、防水シート９の施工前に床面ｆに埋設される。前記被圧受面５上には、環状の枠体からなる防水層押え６が防水シート９を介して宛われ、該防水層押え６をドレイン本体２に立設された複数の螺子杆７に夫々螺合されるナット８の緊締を介して被圧受面５側に押圧することにより、該防水層押え６と被圧受面５とによって防水シート９の開口端縁１０を挟持するように設けられている。また、前記防水層押え６には、受皿部３を覆うストレーナ１１がビス１２によって固定されている。このルーフドレイン１Ｂを構成するドレイン本体２，防水層押え６，ストレーナ１１は、第一実施例と同様に、鋳鉄，アルミニウム合金，ステンレス，ステンレス鋳鋼等の金属製や、塩化ビニル，ＦＲＰ等の硬質合成樹脂製となっている。
【００２１】
前記被圧受面５の受皿部３側の内端近傍位置には、図８に示すように、受皿部３を囲繞するようにして、防水シート切断用位置決め溝１３が被圧受面５の内端縁に沿って形成されている。該防水シート切断用位置決め溝１３は、刃物１５（図５（Ｂ）参照）の先端が係合可能な所定の深さを備えており、その断面形状は倒台形，矩形，半円形，Ｖ字形等に形成され得る。
【００２２】
また、前記防水層押え６の裏面の外端稜部は、図９（Ａ），（Ｂ）に示すように、Ｒ形状または緩勾配で傾斜する傾斜面からなる面取り部１４が設けられており、この面取り部１４によって防水シート９への押圧力を軽減し得るようになっている。
【００２３】
かかる構成にあって、防水シート９の施工時に、ドレイン本体２を被覆する状態となる防水シート９を、第一実施例と同様に、防水シート切断用位置決め溝１３の案内作用を介して切り抜くことができるため、被圧受面５の内端縁に沿う所定形状の開口部１６の位置決めと切除を簡単かつ迅速に行うことができる。
【００２４】
また、防水シート９を切り抜いた後、該防水シート９の開口端縁１０を被圧受面５とによって挟持する防水層押え６の裏面の外端稜部に面取り部１４が設けられていることにより、該面取り部１４によって防水シート９への押圧力が軽減され、防水シート９に局所的な剪断力が生じることがない。これにより、第一実施例と同様に、防水層押え６の裏面の外端稜部位置における防水シート９の損傷を防止することができ、長期に亘って防水シート９による良好な防水性を保持させることができる。
【図面の簡単な説明】
【００２５】
【図１】第一実施例にかかるルーフドレイン１Ａの施工状態を示す縦断側面図である。
【図２】同上のルーフドレイン１Ａを構成するドレイン本体２の縦断側面図である。
【図３】同上のルーフドレイン１Ａを構成するドレイン本体２の正面図である。
【図４】防水層押え６に設けられた面取り部１４を示す部分拡大断面図である。
【図５】（Ａ）はドレイン本体２が防水シート９に被覆された状態、（Ｂ）は刃物１５の先端を防水シート９の表面から防水シート切断用位置決め溝１３内に差し入れた状態を示す説明図である。
【図６】防水シート９に所定形状の開口部１６を形成した状態を示す説明図である。
【図７】第二実施例にかかるルーフドレイン１Ｂの施工状態を示す縦断側面図である。
【図８】同上のルーフドレイン１Ｂを構成するドレイン本体２の平面図である。
【図９】防水層押え６に設けられた面取り部１４を示す部分拡大断面図である。
【図１０】従来構成のルーフドレインａの施工状態を示す縦断側面図である。
【図１１】ルーフドレインａのドレイン本体ｂ上に防水シートｊを敷設した状態を示す説明図である。
【図１２】従来構成のルーフドレインａを構成する防水層押えｇの外端稜部ｐの形状を示す部分拡大断面図である。
【符号の説明】
【００２６】
１Ａ，１Ｂ  ルーフドレイン
２  ドレイン本体
３  受皿部
４  排水管部
５  被圧受面
６  防水層押え
９  防水シート
１０  開口端縁
１３  防水シート切断用位置決め溝
１４  面取り部
ｆ  床面
ｈ  壁面
【図１】
0005060977.tif 000002
【図２】
0005060977.tif 000003
【図３】
0005060977.tif 000004
【図４】
0005060977.tif 000005
【図５】
0005060977.tif 000006
【図６】
0005060977.tif 000007
【図７】
0005060977.tif 000008
【図８】
0005060977.tif 000009
【図９】
0005060977.tif 000010
【図１０】
0005060977.tif 000011
【図１１】
0005060977.tif 000012
【図１２】
0005060977.tif 000013